(57)【要約】  本発明は、喫煙品取り出し部分（３）および締め付け部材（５）を有する喫煙品用の変形可能なパッケージ（１）を提供する。締め付け部材は、取り出し部分を覆わないが、喫煙品がパッケージから取り出された後、パッケージをその寸法が小さくなった折り曲げられた状態に維持するように取り出し部分から離れた場所に位置し、これにより残った喫煙品（７）をより効果的に保持する。【選択図】図２
2011524315.tif 000002
【特許請求の範囲】
【請求項１】
喫煙品取り出し部分と締め付け部材とを含む喫煙品用の変形可能なパッケージであって、この締め付け部材は、使用時にパッケージを変形した状態に維持するように作動可能であり、これによりパッケージが開封され、内容物が取り出されると、パッケージの内部寸法を小さくし、締め付け部材が前記喫煙品取り出し部分を覆わないパッケージ。
【請求項２】
前記締め付け部材がパッケージの１つ以上の面に取り付けられていることを特徴とする請求項１記載のパッケージ。
【請求項３】
前記締め付け部材がパッケージの前面に取り付けられていることを特徴とする請求項２記載のパッケージ。
【請求項４】
前記締め付け部材がパッケージの２つ以上の面によって共有される１つ以上の縁部を横断して取り付けられていることを特徴とする請求項２記載のパッケージ。
【請求項５】
前記締め付け部材がパッケージの１つ以上の面の中間点の周囲に取り付けられていることを特徴とする請求項２乃至４いずれか１項記載のパッケージ。
【請求項６】
前記締め付け部材がパッケージの長手方向軸を横断する方向に配置されていることを特徴とする請求項１乃至５いずれか１項記載のパッケージ。
【請求項７】
前記締め付け部材が接着ラベルを含むことを特徴とする請求項１乃至６いずれか１項記載のパッケージ。
【請求項８】
前記ラベルにパッケージに着脱しやすくする非接着性タブが設けられていることを特徴とする請求項７記載のパッケージ。
【請求項９】
前記喫煙品取り出し部分がパッケージの頂面にあることを特徴とする請求項１乃至８いずれか１項記載のパッケージ。
【請求項１０】
ソフトカップ紙巻きタバコパッケージであることを特徴とする請求項１乃至９いずれか１項記載のパッケージ。
【請求項１１】
前記締め付け部材が幅が減少した形状にパッケージを維持するように作動可能であることを特徴とする請求項１乃至１０いずれか１項記載のパッケージ。
【請求項１２】
前記締め付け部材が折り曲げられた状態にパッケージの側面を維持するように作動可能であることを特徴とする請求項１乃至１１いずれか１項記載のパッケージ。
【請求項１３】
紙巻きタバコを収容することを特徴とする請求項１乃至１２いずれか１項記載のパッケージ。
【請求項１４】
図１および２を参照して実質的に説明されたパッケージ。
【発明の詳細な説明】
【技術分野】
【０００１】
本発明は、紙巻きタバコなどの喫煙品用のパッケージに関する。
【背景技術】
【０００２】
いわゆるソフトカップタイプのパックは、当業界ではよく知られており、特定のマーケットでは好評である。通常ソフトカップパックは、ソフトシート材からなる３つの個別の層、即ち（ｉ）喫煙品を収容するために端部で折り曲げられた金属が加工された紙状の内方ラッパーと、（ｉｉ）この内方ラッパーを包み、その際に印刷された証印が現われる紙製の外方ラッパーと、（ｉｉｉ）汚染物質の侵入に対してパックを密閉し、よって喫煙品の新鮮さおよび水分量を保存するために外方ラッパー上で加熱封止されたセロファン材などの透明なオーバーラッパーとを含む。
【０００３】
従来のソフトカップは、端部が開口した外方ラッパーを有し、この外方ラッパーは、オーバーラッパーが取り除かれたら、消費者が露出した内方ラッパーの一部を取り除いて喫煙品に触れることができるようにし、パケットから紙巻きタバコを取り除くための永久的な開口部を提供する。当然のことながら、この開口手段は、特定の消費者の間でよく知られた慣習のようになっており、従ってソフトカップパックが好評を博している重要な要因になっている。
【０００４】
一度、ソフトカップパックが開封され、１本以上の紙巻きタバコが取り出されると、パッケージ内にスペースができ、残りの紙巻きタバコがパッケージ内で緩く保持されてしまう。従って残った紙巻きタバコがパッケージから落ちてしまうリスクがある。
【０００５】
少なくとも１本の紙巻きタバコがパッケージから引き出された後、開封されたパッケージ内で紙巻きタバコを保持することができる紙巻きタバコ用パッケージを提供することが望まれている。
【０００６】
下記特許文献１は、パケットの長手方向側面の２つの縁部を横断して貼り付けられたステッカーを有する紙巻きタバコなどのパッケージについて記載している。ステッカーはこのステッカーを破ること以外によってパケットが開封されるのを防ぐために胴体と蓋の間の接触線に沿って貼り付けられることによってシールの機能を果たす。ステッカーには脆弱線が設けられている。しかしながら、ステッカーのサイズおよびそのパック上の位置（殆ど角にある）によってこのステッカーは、一度開封されたパックを小さくするには適さない。
【０００７】
下記特許文献２は、側面と頂面の縁部に自己接着開口タブを有し、これが脆弱線を覆うソフトカップパックについて記載している。このパックは、タブを引くことによって開封され、それを戻すことによって一時的に閉じられる。しかしながら、タブが開口部に位置しているので、パックを小さくするには適していない。
【０００８】
下記特許文献３は、後部に長手方向に延びたタブが設けられたソフトカップ紙巻きタバコパックについて記載しており、このタブにはカップの前部に貼り付けることができる接着ストリップが設けられており、パックを開封したり、再封止したりできるようになっている。さらに紙巻きタバコをより簡単に取り出せるようにサイドタブを開くことができる。しかしながら、このパッケージに設けられている接着ラベルは、パックを小さくするには適していない。
【０００９】
下記特許文献４は、後部に２つの長手方向に延びた接着ストリップを有する収入印紙が設けられたソフトカップ紙巻きタバコについて記載しており、これらのストリップは、再封止のためにパックの前部に貼り付けることができる。
【先行技術文献】
【特許文献】
【００１０】
【特許文献１】英国特許第２，２６３，２７５号
【特許文献２】国際公開第ＷＯ８９／０６６２９号
【特許文献３】米国特許第５，３０１，８０４号
【特許文献４】米国特許第２，１０９，１００号
【発明の概要】
【発明が解決しようとする課題】
【００１１】
以下に説明される本発明は、上述の問題点を解消することを目的としている。
【課題を解決するための手段】
【００１２】
本発明では喫煙品用の変形可能なパッケージを提供し、このパッケージは喫煙品取り出し部分と締め付け部材とを含み、この締め付け部材は使用の際パッケージを変形した状態に維持するように機能し、これによりパッケージが開封され、内容物が取り出されるとパッケージの内部寸法が小さくなり、締め付け部材は、喫煙品取り出し部を覆わないことを特徴としている。
【００１３】
本発明のパッケージは、紙巻きタバコが取り出された後パッケージを小さくする手段（特に幅および深さにおいて）を供する。取り出し開口部の大きさも小さくなり、中に含まれる物は取り出し開口部から離れたパッケージの一部に集まって保持され、従って紙巻きタバコがパッケージから落ちなくなる。またパッケージが小さくなることにより消費者が例えばポケットなどにパッケージを収容し、携帯しやすくなる。
【００１４】
本発明のパッケージは、紙巻きタバコ、シガーおよびシガリロ、ばらのタバコ葉または所謂手巻きタバコなどの喫煙品および経口タバコ品などの無煙タバコを収容するのに適している。便宜上および簡略化のためにこれらをここでは紙巻きタバコとする。
【００１５】
本発明のパッケージは、好適な変形可能な材料、例えば紙、カード、金属被覆紙およびあらゆる好適な材料から形成することができる。パッケージは、通常よくソフトカップ紙巻きタバコパッケージに使用されるような内方の金属被覆紙を囲む紙材から形成されるのが好ましい。このパッケージは、当業者によく知られている方法で形成される。
【００１６】
本発明のパッケージは、あらゆる好適な形状であってもよく、紙巻きタバコなどの長尺な物品を収容するのに好適な一般的な形状であるのが好ましい。好適な形状は、円筒状および平行六面体、好ましくは直方体などである。パッケージは、当業界で知られているあらゆる形状であってもよく、例えば丸みを帯びたまたは縁取りされた縁部を有してもよい。
【００１７】
本発明のパッケージにはそれに含まれる物品を取り出すことができる取り出し部が設けられている。この取り出し部は、通常パッケージの頂部に設けられ、好適には開口部を作るために消費者によって取り除かれる金属被覆紙の一部を含み、これにより収容されている物品を露出させ、物品をパッケージから取り出すことができる。
【００１８】
本発明のパッケージには開口部から離れた位置に締め付け部材が設けられている。好ましくはこの締め付け部材は、自己接着ラベルを含む。しかしながら締め付け部材は、これとは別にパッケージに貼り付けられたバンドまたはクリップを含んでもよい。
【００１９】
上記文献に記載されているパッケージの締め付け部材とは対照的に本発明の締め付け部材は、パッケージの開口部から離れた位置に取り付けられているので、これが開口部を覆うことはない。その代わり締め付け部材は、パッケージを変形された状態に維持することができるようなパッケージの位置でパッケージの外面に取り付けられているので、パッケージの内部寸法（特に幅および／または深さなどの横方向の寸法）をパッケージが開封されると小さくすることができる。パッケージから物品が取り出されると、パッケージはその中でより密に収容された残りの物品の周りに合った形状になり、従ってパッケージが開封されても物品がパッケージから落ちにくくなっている。
【００２０】
好適にはパッケージが頂部で開封されたとき、締め付け部材が１つの面（例えば前または後ろの面）上または２つの長手方向の面によって共有される１つまたは２つの縁部を横断するパッケージの長手方向側面の所定の位置に貼り付けられる。締め付け部材は、パッケージの開口部を横切る位置に貼り付けてもよい。締め付け部材は、パッケージの１つ以上の長手方向面の中間点の周囲でパッケージに貼り付けられるのが好ましい。
【００２１】
締め付け部材は、パッケージに取り付けられ、そして一時的に（部分的にまたは全体的に）取り外すことができる好適な弾性を有し、さらに物品がパッケージから取り出された後、締め付け部材がさらに変形したパッケージに対応して異なる位置でパッケージに再度取り付けられるようしなければならない。締め付け部材がラベルを含む場合、このように貼り付けたり、剥がしたりできるようにそのラベルは一面に永久的な粘着剤が設けられているのが好ましい。ラベルにはその表面の一部のみに永久粘着剤が設けられ、ラベルの一部をパッケージに永久的に接着し、ラベルの一部のみが必要に応じて剥がしたり、再度貼り付けたりできるように永久粘着剤を塗布してもよい。
【００２２】
好ましい締め付け部材にはパッケージへの貼り付けおよびパッケージから剥離しやくするための手段が設けられている。締め付け部材が自己接着ラベルを含む場合、通常該手段は、ラベルの一端に非接着性タブを含む。消費者は、必要に応じてラベルをパッケージから剥がしたり、パッケージに再度貼り付けたりするためにラベルの非接着タブを掴む。
【００２３】
本発明の締め付け部材は、パッケージを構成するあらゆる材料の層に貼り付けてもよい。好ましくは締め付け部材は、パッケージの紙の外方ラッパー層の外面に貼り付けられる。
【００２４】
本発明のパッケージは、２つ以上の締め付け部材を含んでもよい。好適にはパッケージは、２つの締め付け部材を含み、各締め付け部材がパッケージの対向する側部に取り付けられ、パッケージが両側から小さくなり、残りの紙巻きタバコがパックの中央部分（印紙の下）のみに保持されるようにしてもよい。これとは別に１つの締め付け部材をパックの両側を折り曲げ／縮小構造に保持するのに使用できるような充分な長さに構成してもよい。
【００２５】
締め付け部材は、その面に印刷された証印を含むのが望ましい。この印刷された証印または他の図形をその下にあるパッケージ上のものと同じにしてもよく、健康への害を示す警告情報などの法律で定められた必要事項を含んでもよい。締め付け部材は、透明または少なくとも部分的に透明にしてその下のパッケージが締め付け部材を介して見えるようにするのが好適である。もし締め付け部材がブランド名または健康への害を示す警告などのパッケージ上の印刷された証印に亘って使用される場合、このことは特に重要である。
【００２６】
本発明のいくつかの態様を添付の図面を参照し、あくまで例示を目的として以下に説明する。
【図面の簡単な説明】
【００２７】
【図１】本発明のパッケージを例示する図。
【図２】パッケージの幅を狭くするためにパッケージの折り曲げられた部分に亘って貼られたラベルを有する使用時の本発明のパッケージを例示する図。
【発明を実施するための形態】
【００２８】
図１は本発明の好ましい態様によるソフトカップ紙巻きタバコパッケージ１を示している。このパッケージは、頂部に内方ラッパーの一部によって覆われた紙巻きタバコ取り出し部を有する。始めはパッケージは、閉じており、パッケージの頂面を横断する納税印紙４を含む。
【００２９】
さらにパッケージには自己接着性ラベルからなる締め付け部材５が設けられている。ラベル５は、パッケージの前面に長手方向の中間点の周囲で貼り付けられている。ラベル５は、非接着性のタブ６を有し、これにより簡単に手でラベルをパッケージに貼り付けたり、外したりすることができる。
【００３０】
図２は使用時の本発明のパッケージを例示しており、ここでは既に数本の紙巻きタバコがパッケージから取り出された状態を示している。パッケージの頂部の取り出し部分における金属被覆紙からなる内方ラッパー３の部分が、パッケージ１に収容されている紙巻きタバコ７を露出させるために取り除かれている。パッケージの側面８は、パッケージが狭くなるように内方に折り曲げられている。元の開封されていない状態と較べてサイズが小さくなった折り曲げられた状態にパッケージをラベル５が維持し、パッケージが残りの紙巻きタバコ７をより密に保持して、これらの紙巻きタバコがパッケージから落ちるのを防ぐことができるようにラベル５は少なくとも部分的にパッケージの前面から取り外され、また貼り付けられている。
【００３１】
当業者であれば上述の態様に加え得る種々の変形について認識している。従って本発明の範囲は、添付の特許請求の範囲およびそれらの同等物によって定義される。
【図１】
2011524315.tif 000003
【図２】
2011524315.tif 000004
【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
喫煙品用の変形可能なパッケージであって、このパッケージは外方面と、喫煙品取り出し部分と、パッケージの一面に取り付けられた取り外し自在の接着ラベルを含む締め付け部材とを含み、この締め付け部材は、パッケージを変形した状態に維持するためにパッケージを横断して再度取り付けられるように構成されており、これによりパッケージが開封され、内容物が取り出されると、パッケージの内部寸法を小さくし、締め付け部材が前記喫煙品取り出し部分を覆わないパッケージ。
【請求項２】
前記締め付け部材がパッケージの前面に取り付けられていることを特徴とする請求項１記載のパッケージ。
【請求項３】
前記締め付け部材がパッケージの２つ以上の面によって共有される１つ以上の縁部を横断して取り付けられるように構成されていることを特徴とする請求項１または２記載のパッケージ。
【請求項４】
前記締め付け部材がパッケージの１つ以上の面の中間点の周囲に取り付けられていることを特徴とする請求項１乃至３いずれか１項記載のパッケージ。
【請求項５】
パッケージが長手方向軸を有し、前記締め付け部材がこの長手方向軸を横断する方向に配置されていることを特徴とする請求項１乃至４いずれか１項記載のパッケージ。
【請求項６】
前記ラベルにパッケージに着脱しやすくする非接着性タブが設けられていることを特徴とする請求項１乃至５いずれか１項記載のパッケージ。
【請求項７】
前記喫煙品取り出し部分がパッケージの頂面にあることを特徴とする請求項１乃至６いずれか１項記載のパッケージ。
【請求項８】
ソフトカップ紙巻きタバコパッケージであることを特徴とする請求項１乃至７いずれか１項記載のパッケージ。
【請求項９】
前記締め付け部材が幅が減少した形状にパッケージを維持するように作動可能であることを特徴とする請求項１乃至８いずれか１項記載のパッケージ。
【請求項１０】
前記締め付け部材が折り曲げられた状態にパッケージの側面を維持するように作動可能であることを特徴とする請求項１乃至９いずれか１項記載のパッケージ。
【請求項１１】
紙巻きタバコを収容することを特徴とする請求項１乃至１０いずれか１項記載のパッケージ。
【請求項１２】
喫煙品を収容する変形可能なパッケージの寸法を小さくする方法であって、このパッケージは外方面と、喫煙品取り出し部分と、パッケージの一面に取り付けられた取り外し自在の接着ラベルを含む締め付け部材とを含み、この方法は、パッケージから１本以上の喫煙品を取り除いた後、喫煙品取り出し部分を覆わないように、かつ、パッケージを変形した状態に維持するようにラベルをパッケージを横断して再度取り付け、パッケージの内部寸法を小さくすることを含む方法。
【請求項１３】
前記ラベルがパッケージの前面に取り付けられ、前記ラベルの再度の取り付けがラベルをパッケージの２つ以上の面によって共有される１つ以上の縁部を横断して配置されることを特徴とする請求項１２記載の方法。
【国際調査報告】
2011524315.tif 000005
2011524315.tif 000006
2011524315.tif 000007
2011524315.tif 000008
2011524315.tif 000009